(57)【要約】【課題】  特殊な読取り機を使用することなく、目視により簡単に真偽判定を行なうことができ、複雑な製造工程を使用せず、偽造することができない真偽判定体を提供することを目的とする。【解決手段】  本発明の真偽判定体は、２層以上の複数層の着色層を有する微粒子を含有するものであり、その着色層は、３層〜１５層の複数層の構成をとり、またその複数層が互いに異なる色相で着色されたものであることが好ましく、またその微粒子の大きさが、平均粒径で３〜６０μｍであるものが好ましく用いられる。このように本発明では、２層以上の複数層の着色層を有する微粒子が、極めて微細な粒子であり、かつ１層毎に着色層が積層された多層構成であり、また着色層において複数層が互いに異なる色相で着色された構成をとるものである。【選択図】      図１
2008173862.tif 000002
【特許請求の範囲】
【請求項１】
２層以上の複数層の着色層を有する微粒子を含有することを特徴とする真偽判定体。
【請求項２】
前記の微粒子の着色層は、３層〜１５層の複数層であることを特徴とする請求項１に記載する真偽判定体。
【請求項３】
前記の微粒子の着色層で、複数層が互いに異なる色相で着色されたものであることを特徴とする請求項１または２に記載する真偽判定体。
【請求項４】
前記の微粒子は、平均粒径が３〜６０μｍであることを特徴とする請求項１〜３のいずれかに記載の真偽判定体。
【請求項５】
前記の微粒子が、磁気を帯びた着色層、蛍光性を有する着色層の少なくとも１つを有することを特徴とする請求項１〜４のいずれかに記載の真偽判定体。
【発明の詳細な説明】
【技術分野】
【０００１】
本発明は、各種カード、商品券、証券、等の物品において、真偽判定を確実に行なうことができる真偽判定体に関するものである。
【背景技術】
【０００２】
従来から、チケット、プリペードカード、ＩＤカード、商品券、証券、等の物品における偽造防止対策として、マイクロ文字、万線模様、等の高度な印刷を行なう、蛍光インキ、色彩可変インキ、等の特殊インキで印刷を行なう、ホログラムを貼り付ける、強磁性体を付与する等のことが行なわれている。
【０００３】
例えば、特許文献１には、見る角度によって選択反射性を有し色彩変化を生じるコレスティック液晶層を設けた真偽判定体が提案されている。また、特許文献２には、微細な文字・ロゴ・マーク等の識別情報が記録された回折格子片が媒質に混入された偽造防止用媒質が開示されている。さらに、特許文献３には、基材上に磁気層を設け、さらに磁気層の上に、見る角度によって色相が変わる色相変化インキ層を設けた磁気カードが提案されている。
【０００４】
しかしながら、上記の従来から知られている偽造防止対策は、一見して偽造することが容易ではないものを作成したり、目視では判読できないが、一定の読取り機により、判読するものであり、その偽造防止された媒体に使用された材料は比較的簡単に入手することができてしまう。したがって、その媒体に使用された材料を利用して、媒体が偽造されてしまうという問題がある。
【０００５】
また、上記の偽造防止された媒体を製造する際に、製造工程が複雑であったり、また読取り機が特殊なもので、汎用的ではないという問題もある。
【特許文献１】特開２００４−５０５９６号公報
【特許文献２】特開２００４−１９８５０７号公報
【特許文献３】特開平８−３２４１６９号公報
【発明の開示】
【発明が解決しようとする課題】
【０００６】
本発明は上記問題点に鑑みてなされたものであり、特殊な読取り機を使用することなく、目視により簡単に真偽判定を行なうことができ、複雑な製造工程を使用せず、偽造することができない真偽判定体を提供することを目的とする。
【課題を解決するための手段】
【０００７】
上記課題を解決するために、本発明の請求項１の発明は、２層以上の複数層の着色層を有する微粒子を含有することを特徴とする真偽判定体である。請求項２の発明は、請求項１に記載の微粒子の着色層は、３層〜１５層の複数層であることを特徴とする真偽判定体である。請求項３の発明は、請求項１または２に記載の微粒子の着色層で、複数層が互いに異なる色相で着色されたものであることを特徴とする。請求項４の発明は、請求項１〜３のいずれかに記載の微粒子は、平均粒径が３〜６０μｍであることを特徴とする真偽判定体である。請求項５の発明は、請求項１〜４のいずれかに記載の微粒子が、磁気を帯びた着色層、蛍光性を有する着色層の少なくとも１つを有することを特徴とする真偽判定体である。
【発明の効果】
【０００８】
本発明の真偽判定体は、２層以上の複数層の着色層を有する微粒子を含有するものであり、その着色層は、３層〜１５層の複数層の構成をとり、またその複数層が互いに異なる色相で着色されたものであることが好ましく、またその微粒子の大きさが、平均粒径で３〜６０μｍであるものが好ましく用いられる。このように本発明では、２層以上の複数層の着色層を有する微粒子が、極めて微細な粒子であり、かつ１層毎に着色層が積層された多層構成であり、また着色層において複数層が互いに異なる色相で着色された構成をとるものである。これにより、本発明の真偽判定体は、特殊な読取り機を使用することなく、ルーペ、顕微鏡等で、拡大して目視観察により簡単に真偽判定を行なうことができ、また上記の特定した微粒子を含有させるだけで、複雑な製造工程を使用しなくても、偽造することができない真偽判定体を得ることができた。但し、上記の微粒子は、認証された人のみが、入手できる唯一のものであり、他人が入手できるものではない。
【発明を実施するための最良の形態】
【０００９】
以下、本発明の真偽判定体について詳細に説明する。
（実施形態）
図１に本発明の真偽判定体で含有する２層以上の複数層の着色層を有する微粒子の一例を示す。図示した微粒子は、２Ａ、２Ｂ、・・、２Ｊの１０層の複数層からなる着色層２を有する微粒子１であり、２Ａ、２Ｂ、・・、２Ｊの各層が１層毎にこの順に積層された多層構成をとっている。２Ａ、２Ｂ、・・、２Ｊの各層は、厚さが１μｍ〜５μｍ程度のものである。２Ａ、２Ｂ、・・、２Ｊの着色層２の各層は、例えば、２Ａが金色、２Ｂが黒色、２Ｃが茶色、２Ｄが赤色、２Ｅが橙色、２Ｆが黄色、２Ｇが緑色、２Ｈが青色、２Ｉが紫色、２Ｊが灰色の各色相を有したものが挙げられる。上記の示した微粒子１は、１０層の複数層からなる着色層２を示したが、着色層は２層以上あれば良く、また色相も図示したものに限らず、適宜変更することができる。尚、実用上は、着色層は３層〜１５層の構成を有する微粒子が好ましい。
【００１０】
このように微粒子の着色層は、一つの微粒子単位で、複数層が互いに異なる色相で着色された構成をとることが好ましい。そして、このような微粒子は、複数層の着色層の順次積層された構成で、その積層される色相の順序や色相自体、また積層される数を変化させたりして、一つの真偽判定体で使用する微粒子において、唯一の種類のものに限定させ、他の真偽判定体で使用する微粒子とは異なる積層の色相、色相順序や、異なる積層の数にする。これによって、本発明における真偽判定体は、偽造することができないものとなる。また、１つの真偽判定体において、着色層の異なる色相の微粒子や、色相順序の異なる微粒子や、着色層の積層数の異なる微粒子を２種類以上組み合わせて使用することで、より以上に偽造防止性を高めることができる。
【００１１】
本発明の真偽判定体で使用する微粒子は、その大きさとして平均粒径が３〜６０μｍのものが好ましい。本発明における上記の平均粒径の測定方法として、レーザー回折／散乱式粒度測定装置（例えば、堀場製作所社製、ＬＡ−９２０型）、動的光散乱式粒度分布測定装置（例えば、堀場製作所社製、ＬＢ−５００型）、或いはコールターカウンター（例えば、コールターエレクトロニクス社製、ＭＡ−ＩＩ型）等を粒子径の範囲に応じて、適宜適用することにより測定される。
【００１２】
また本発明で使用する微粒子は、２層以上の複数層の着色層を有する微粒子であるが、着色層として、図１で示したような色相のものだけでなく、磁気を帯びた着色層や、蛍光性を有する着色層を利用することができる。磁気を帯びた着色層は、磁性体粉末を分散させて形成することができ、その磁性体材料の高保持力材料としては、ＢａＦｅ１２Ｏ１３、γ−Ｆｅ２Ｏ３、Ｃｏ−γ−Ｆｅ２Ｏ３、Ｆｅ３Ｏ４等があり、また低保磁力材料としては、センダスト合金、Ｎｉ−Ｚｎフェライト、Ｍｎ−Ｚｎフェライト、Ｍｏ−パーマロイ粉等があり、高保持力材料、低保持力材料のいずれのものでも使用できる。また、その磁性体のみ、あるいは磁性体とカーボンブラック等の着色剤を併用して、着色層を構成することができる。
【００１３】
また、蛍光性を有する着色層は、光の刺激を受けて蛍光を発光する材料を使用する。その蛍光発光材料としては、受光時に発光する狭義の蛍光と、光を蓄えて刺激停止後に発光する燐光とがあり、本発明ではいずれのものでも使用できる。有機蛍光材料は狭義の蛍光、無機蛍光材料は蓄光に属するものが多い。ルモゲンＬイエロー、ルモゲンブリリアントイエロー、ルモゲンブリリアントグリーンは、ブラックライトの紫外線を受けて、黄色ないし緑色の蛍光を発光する有機蛍光材料として知られている。また無機蛍光材料としては、ＺｎＳ：Ｃｕ（緑）、（Ｚｎ，Ｃｄ）Ｓ：Ｃｕ（黄）、ＣａＳ：Ｂｉ（青）、（Ｚｎ，Ｃｄ）Ｓ：Ｃｕ（橙）、（Ｚｎ，Ｃｄ）Ｓ：Ｃｕ（赤）等を使用することができる。上記の蛍光性を有する着色層を１層以上と、磁性を帯びた着色層を１層以上を組み合わせて、１つの微粒子単位に積層させて、より偽造防止性を高めることができる。また、本発明の微粒子は、着色層として、赤外線照射により発光する材料や、赤外線の透過材料等、偽造防止として従来から使用されている材料を用いることも可能である。
【００１４】
本発明の真偽判定体は、２層以上の複数層の着色層を有する微粒子を含有するものであり、その微粒子の含有する実施形態を図を参照して、以下に説明する。図２では、真偽判定体３が、基材４から構成されたもので、その基材４が紙からなるものであれば、紙を抄造する際に、パルプ原料と上記の微粒子を混合させて基材を製造することができ、紙基材中に、微粒子を分散させることができる。また、使用する基材がプラスチック材料である場合は、例えば、そのプラスチック材料中に微粒子を混合させて、押出し成形、射出成形等のプラスチック成形加工を施して製造することができる。
【００１５】
また、図３に示す真偽判定体３は、基材４上に、上記の微粒子を含有する印刷層５が設けられた形態である。その印刷層は、グラビア印刷法、スクリーン印刷法、凸版印刷法、オフセット印刷法等の形成手段により、その印刷法に適するように、微粒子を含有した印刷インキを調整して、その印刷インキを用いて、印刷して形成することができる。また、印刷層は、基材の表面に、全面均一に形成したり、パターンで形成したりすることができる。
【００１６】
また、本発明の真偽判定体は、基材自体に２層以上の複数層の着色層を有する微粒子を含有したり、またその微粒子を含有する印刷層の形成された形態等が挙げられるが、それらの形態に、ホログラム（回折格子）、ＩＣチップ等の従来から偽造防止として使用されている加工を追加して設けることができる。
【００１７】
上記の説明では、本発明の真偽判定体は、ルーペ等で、拡大して目視観察して、着色層を読取って、簡単に真偽判定を行なうものであったが、これに限らず、例えば、着色層の色相と色相の順序を検出できる読取り機により、登録された真正品の色相と色相の順序と比較して、真偽判定を行なうことも可能である。
また着色層の磁性体成分を検出できる読取り機（磁気センサー）により、一定レベル以上の磁性体成分の検出の有無により、真偽判定を行なったり、また着色層の蛍光材料、赤外線吸収剤等を紫外線や赤外線照射により、蛍光発光レベルや特定波長光の反射レベルの検出有無により、真偽判定を行なうことも可能である。
【００１８】
なお、本発明は、上記実施形態に限定されるものではない。上記実施形態は例示であり、本発明の特許請求の範囲に記載された技術的思想と、実質的に同一の構成を有し、同様な作用効果を奏するものは、いかなる場合であっても本発明の技術的範囲に包含される。
【実施例】
【００１９】
次に、実施例を挙げて、本発明についてさらに具体的に説明する。
なお、以下、「部」又は「％」とあるのは、特に断りのない限り質量基準である。
（実施例１）
図１に示す１０層からなる着色層を有する微粒子をインキ（メジウムインキ等）に分散し、スクリーン印刷用インキやオフセット印刷用インキ、グラビア印刷用インキとした。
【００２０】
（実施例２）
実施例１で調整したインキを紙、フィルム、布等の基材に印刷し、ルーペで拡大し観察すると、各着色層の色相を確認することが出来た。
【００２１】
（実施例３）
紙、フィルム、布等の基材の表面にホログラムが部分的に形成されたものを用意し、該基材のホログラムの表面、又は基材とホログラム形成層の間に、実施例１で調整したインキを印刷した。
【００２２】
（実施例４）
ホログラム形成層と反射層からなるホログラムにおいて、ホログラムの反射層をパターン化したホログラムの表面、又は基材とホログラムの間に、実施例１で調整したインキを印刷した。
【００２３】
（実施例５）
ホログラム形成層とコレスティック液晶層を備えたホログラムの表面、又は基材とホログラムの間に、実施例１で調整したインキを印刷した。
【００２４】
上記の実施例２〜５で作製した真偽判定体は、全て特殊な読取り機を使用することなく、ルーペ、顕微鏡等で、拡大して目視観察により簡単に真偽判定を行なうことができ、また上記の特定した微粒子を含有させるだけで、複雑な製造工程を使用せず、偽造することができない真偽判定体を得ることができた。但し、上記の微粒子は、認証された人のみが、入手できる唯一のものであり、他人が入手できるものではない。
【図面の簡単な説明】
【００２５】
【図１】本発明の真偽判定体で含有する２層以上の複数層の着色層を有する微粒子の一例を示す概略図である。
【図２】本発明の真偽判定体の微粒子を含有する一つの実施形態を示す概略図である。
【図３】本発明の真偽判定体の微粒子を含有する他の実施形態を示す概略図である。
【符号の説明】
【００２６】
１  …  微粒子
２  …  着色層
３  …  真偽判定体
４  …  基材
５  …  印刷層
【図１】
2008173862.tif 000003
【図２】
2008173862.tif 000004
【図３】
2008173862.tif 000005